(57)【要約】      （修正有）【課題】数種類のＰＯＰ用品をシートに集約することにより、保管や輸送コストの削減、紛失リスクの低減、装飾の見栄えを図る。【解決手段】平面状のシートに任意形状を有したＰＯＰ用の部品１０１，１０６，１０７を配置し、部品の外周に沿って、表面から切り込みを入れて裏面まで貫通している連結部と貫通しきっていない連結部とを交互にもうける。ＰＯＰ用品であるメインボード、半立体ＰＯＰ、自立部品に垂直に広告部品が取り付けられるブックエンド型ＰＯＰ、小看板、カードＰＯＰを組み合わせ組み立てることにより店頭を装飾する。取り外しには、はさみやカッターは必要とせず、組み立てに接着材やファスナーを必要としない。【選択図】図１
0003187133.tif 000002
【実用新案登録請求の範囲】
【請求項１】
平面状のシートに任意形状を有したＰＯＰ用の部品を配置させ、前記部品の外周に沿って、切り込みを入れ、切込みに沿って前記シートから前記部品を取り外し、前記部品を組み合わせ、ＰＯＰ用品を組み立てることを特徴とするＰＯＰ用品シート。
【考案の詳細な説明】
【技術分野】
【０００１】  本考案は、店頭におけるＰＯＰ用品に関するものである。
【背景技術】
【０００２】  店頭において商品をより消費者の購買意識を高めるため、各種ツール、トップボード、スインガー、カード型、タペストリー、ブックエンド、短冊型ポスター、小型ポスター、シェルフレールＰＯＰなどを使っているが、ＰＯＰの管理が煩雑でコストもかかるため、安価で容易に使用できるＰＯＰセットに関するものである。
【先行技術文献】
【特許文献】
【０００３】
【特許文献１】  特開２０１２−２１７７３５号  公報
【特許文献２】  特開２００５−３１９０９９号  公報
【特許文献３】  登録実用新案第３１８３３４２号
【特許文献４】  登録実用新案第３１８２７７２号
【考案の概要】
【考案が解決しようとする課題】
【０００４】  従来のＰＯＰ用品の装飾は数種類の独立した機能を果たすＰＯＰ用品をそれぞれ組み合わせて店頭にて装飾をする必要があり、保管や輸送の煩雑さ、各ＰＯＰ用品の紛失のリスク、店舗でのＰＯＰ用品の装飾は、部品が共通していないため、不特定の者が装飾するときには、都度説明が必要であり、かつ装飾者の技量により見栄えが不均一であった。本考案は、ＰＯＰ用品の保管や輸送の効率化、紛失リスクの低減、装飾の見栄えを図り、各ＰＯＰ用品を立体的に取り付けることにより視覚効果を高めるものである。
【課題を解決するための手段】
【０００５】  前記の課題に対して本考案において、シート上に必要な部品を集約することにより課題を解決する。平面状のシートに任意の部品を配置させ、切込みを入れた各部品を取り外し、それらの各部品を組み合わせことにより、所定のＰＯＰ用品を組み立てることができる。
【考案の効果】
【０００６】  請求項１の考案によれば、数種類のＰＯＰ用品をシートに集約することにより保管スペースを縮小し、運搬を容易にすることができ、保管や輸送コストの削減に寄与する。また数種類のＰＯＰ用品を、おのおの発送すると紛失のリスクが高まるが、シートへの集約化でこれを回避することができる。さらに、店舗でのＰＯＰ用品の装飾は、シートに必要なＰＯＰ用品が集約されているので、不特定の者が装飾しても装飾の見栄えを均一にし、店頭での露出を高め販売効果を上げることができる。【０００７】  請求項１の考案によれば、シートの断面に切り離される前のシートの一部が付着することがなく、見た目がきれいであり、店頭での視覚効果を高めることができる
【図面の簡単な説明】
【０００８】
【図１】  第一実施形態に係るＰＯＰ用品を示す平面図。
【図２】  第二実施形態に係るＰＯＰ用品を示す平面図。
【図３】  第三実施形態に係るＰＯＰ用品を示す平面図。
【図４】  ＰＯＰ用品シートの断面図
【図５】  第四実施形態に係るＰＯＰ用品を示す斜視図。
【図６】  第五実施形態に係るＰＯＰ用品を示す斜視図。
【考案を実施するための形態】
【０００９】本考案の実施形態について、図面の通り説明する。
図１は、第一実施形態に係るＰＯＰ用品シートを示す。ＰＯＰ用品シート１０００には、ＰＯＰ用部品として半立体ＰＯＰ部品Ｉ１０１、自立部品Ｉ１０６、自立部品ＩＩ１０７が設けられている。各部品は、図４のとおり切り離しが可能な構造になっている。
【００１０】  図２は、第二実施形態に係るＰＯＰ用品シートを示す。ＰＯＰ用品シート１００１には、ＰＯＰ用部品としてメインボード１００が設けられ、図４のとおり切り離しが可能な構造になっている。
【００１１】  図３は、第三実施形態に係るＰＯＰ用品シートを示す。ＰＯＰ用品シート１００２には、ＰＯＰ用部品として半立体ＰＯＰ部品ＩＩａ１０２、半立体ＰＯＰ部品ＩＩｂ１０３、半立体ＰＯＰ部品ＩＩｃ１０４、半立体ＰＯＰ部品ＩＩｄ１０５、半立体ＰＯＰ部品ＩＩｅ１０６、半立体ＰＯＰ部品ＩＩｆ１０７、広告部品Ｉ１０８、広告部品ＩＩ１０９、小看板、カード型ＰＯＰが設けられている。各部品は、図４のとおり切り離しが可能な構造になっている。
【００１２】  図４は、ＰＯＰ用品シートの断面図を示す。各部品を取り外し易く、切り取り部分が滑らかになるようにするため、各部品の外周に沿って、表面から切り込みを入れて裏面まで貫通している連結部５０と貫通しきっていない連結部５１が交互に切り込みが入れられている。
【００１３】  図５は、第四実施形態に係るＰＯＰ用品を示す斜視図を示す。ＰＯＰ用品シート１００１からメインボード１００を、ＰＯＰ用シート１０００から半立体ＰＯＰＩ１０１を、ＰＯＰ用品シート１００２から半立体ＰＯＰＩＩａ１０２、半立体ＰＯＰ部品ＩＩｂ１０３、半立体ＰＯＰ部品ＩＩｃ１０４、半立体ＰＯＰ部品ＩＩｄ１０５、を取り外し、半立体ＰＯＰのタブ１ａをメインボード１００の差込口３ａに差込み、同様に半立体ＰＯＰＩ１０１のタブ１ｂをメインボード１００の差込口３ｂに差込む。半立体ＰＯＰＩ１０１の折り目２より山折に折り、半立体ＰＯＰＩ１０１のタブ１ｃをメインボード１００の差込口３ｃに差込み、同様に半立体ＰＯＰＩ１０１のタブ１ｄをメインボード１００の差込口３ｄに差込む。半立体ＰＯＰＩＩａ１０２のタブ８ａをメインボードの差込口４ａに差込み、係止めする。高さ調整タブ８ｃと絵表示部８ｄとの間を山折りに、タブ８ｂをメインボード１００の差込口４ｂに差し込み、高さ調整タブ８ｃとタブ８ｂで山折りに折り、係止めする。同様に、半立体ＰＯＰＩＩｂ１０３のタブ９ａをメインボードの差込口５ａに差込み、係止めする。高さ調整タブ９ｃと絵表示部９ｄとの間を山折りに、タブ９ｂをメインボード１００の差込口５ｂに差し込み、高さ調整タブ９ｃとタブ９ｂで山折りに折り、係止めする。半立体ＰＯＰＩＩｃ１０４のタブ１０ａをメインボードの差込口６ａに差込み、係止めする。高さ調整タブ１０ｃと絵表示部１０ｄとの間を山折りに、タブ１０ｂをメインボード１００の差込口６ｂに差し込み、高さ調整タブ１０ｃとタブ１０ｂで山折りに折り、係止めする。半立体ＰＯＰＩＩｄ１０５のタブ１１ａをメインボード１００の差込口７ａに差込み、係止めする。高さ調整タブ１１ｃと絵表示部１１ｄとの間を山折りに、タブ１１ｂをメインボード１００の差込口７ｂに差し込み、高さ調整タブ１１ｃとタブ１１ｂで山折りに折り、係止めする。
【００１４】  図６は、第五実施形態に係るＰＯＰ用品を示す斜視図を示す。ＰＯＰ用品シート１０００から自立部品Ｉ１０６、自立部品ＩＩ１０７を、ＰＯＰ用品シート１００２から広告部品Ｉ１０８、広告部品ＩＩ１０９を取り外し、自立部品Ｉ１０６の折り目２０を山折りに折り。折り目２１を２５ｂに対して直角になるように谷折りに折り、折り目２２を２５ａに対して直角になるように谷折りに折る、山折り部を中心に左右両面を合わせ谷折り部を係止めし自立させる。広告部品Ｉ１０８の切り込み２６ａを自立部品２４ａ２４ｂの切り込みに差し込み、広告部品Ｉ１０８の切り込み２６ｂを自立部品の切り込み２３ａ２３ｂに差し込む。同様に、自立部品ＩＩ１０７の折り目３０を山折りに折り。折り目３１を３５ｂに対して直角になるように谷折りに折り、折り目３２を３５ａに対して直角になるように谷折りに折る、山折り部を中心に左右両面を合わせ谷折り部を係止めし自立させる。広告部品ＩＩ１０９の切り込み３６ａを自立部品ＩＩ１０７の３４ａ３４ｂの切り込みに差し込み、広告部品ＩＩ１０９の切り込み３６ｂを自立部品ＩＩ１０７の切り込み３３ａ３３ｂに差し込む。
【符号の説明】
【００１５】１０００、１００１、１００２    ＰＯＰ用品シート
５０、５１    連結部
１００、１０１、１０２、１０３、１０４、１０５、１０６、１０７、１０８、１０９    ＰＯＰ用品部品
【図１】
0003187133.tif 000003
【図２】
0003187133.tif 000004
【図３】
0003187133.tif 000005
【図４】
0003187133.tif 000006
【図５】
0003187133.tif 000007
【図６】
0003187133.tif 000008
【手続補正書】
【提出日】平成25年8月19日(2013.8.19)
【手続補正１】
【補正対象書類名】実用新案登録請求の範囲
【補正対象項目名】全文
【補正方法】変更
【補正の内容】
【実用新案登録請求の範囲】
【請求項１】
平面状のシートに任意形状を有したＰＯＰ用の部品が配置されており、前記部品の外周に沿って、表面から切り込みを入れて裏面まで貫通している連結部（５０）と貫通しきっていない連結部（５１）とを交互に備えたＰＯＰ用品シート。